(57)【要約】【課題】複数の筆記具を並べた時に、並んだ筆記具のデザインに一体性が生じ、ユーザーに複数本の筆記具を所有したいという意欲を生じさせる筆記具セットである。【解決手段】軸筒４の後端部側の位置に、２本の筆記具１を隣接配置した時に一体化されたデザインが現れる装飾具２Ｌ，２Ｒを装着した２本の筆記具１と、装飾具２Ｌ，２Ｒが取り付けられた２本の筆記具１をセットにして収納できる販売用の袋３と、販売用の袋３の内部に設けられて装飾具２Ｌ，２Ｒが必ず並んで配置されるようにする位置規制用の規制部材５Ｄとを備える筆記具セット１０であって、販売用の袋３には、２本の筆記具１が袋３の内部に収納された時に、装飾具２Ｌ，２Ｒが位置する部分に透明部分３１を設けて装飾具２Ｌ，２Ｒのデザインが外部から目視できるようにした。規制部材５Ｄの代わりに透明な筆記具１の連結板を設けても良い。【選択図】図５
2017013502.tif 000002
【特許請求の範囲】
【請求項１】
複数の筆記具からなる筆記具セットにおいて、
前記筆記具セットを形成する複数の筆記具の各個に、隣接配置すると一体化されたデザインとなる装飾具を装着し、
前記装飾具を装着した前記筆記具は、前記装飾具が前記一体化されたデザインになるように並んでいることを特徴とする筆記具セット。
【請求項２】
前記複数の筆記具は、前記複数の筆記具をセットにして収納できる袋に収容されていることを特徴とする請求項１に記載の筆記具セット。
【請求項３】
前記装飾具は、前記複数の筆記具の各個の、前記筆記具の筆記側に対して反対側の部位に配設されたクリップ、ノック棒、及び天冠の何れかの部位の、同じ位置に装着されていることを特徴とする請求項１または２に記載の筆記具セット。
【請求項４】
前記複数の筆記具が２本の筆記具であり、前記２本の筆記具には線対称形状の装飾具が装着されていることを特徴とする請求項１から３の何れか１項に記載の筆記具セット。
【請求項５】
前記装飾具の背面部に第１の嵌合部を形成し、複数の筆記具の各個の、クリップ、ノック棒、及び天冠の何れかの部位には、前記第１の嵌合部に嵌合する第２の嵌合部を形成して、前記第１の嵌合部に前記第２の嵌合部が嵌合した状態では、前記第２の嵌合部は前記装飾具に隠れて露出しないことを特徴とする請求項３または４に記載の筆記具セット。
【発明の詳細な説明】
【技術分野】
【０００１】
本発明は、複数の筆記具、特に２本の筆記具をペアにした状態で販売する筆記具セットに関する。
【背景技術】
【０００２】
近年、筆記具の種類が多様化し、デザインに凝った筆記具や著名なキャラクターが付いた筆記具が現れ、筆記具としての性能を保った状態で、ファッション性やコレクション性を重要視した筆記具がある。このようなファッション性やコレクション性に重きを置く筆記具は、所有して他人に自慢する喜びや、親友や恋人とペアで所有する喜び、或いは著名なキャラクターのシリーズを全種類集める喜び等をユーザーに与える。このため、ファッション性やコレクション性に重きを置く筆記具は、ペアで購入されたり、キャラクター違いや色違い等で複数本購入されたりする場合が多い。
【０００３】
ところで、インクの色を多数揃える筆記具では、多数色のリフィルを用意する一方で、色違いのリフィルを複数本、内部に収容できる筆記具型のホルダを用意し、ユーザーが好みの色のリフィルを複数本選択してホルダに収納させれば、多色筆記具が作れるものがある。このような多色筆記具は、例えば、特許文献１に開示がある。また、多色筆記具の中には、リフィルを挿入する部位にリフィルと互換性のある消しゴムやタッチペンを収容できるようにしたものがある。更に、ファッション性を取り入れた筆記具としては、筆記具のクリップに装飾片を取り付けたもの（例えば、特許文献２を参照）や、リフィルの操作部に装飾部を形成したもの（例えば、特許文献１を参照）がある。
【先行技術文献】
【特許文献】
【０００４】
【特許文献１】特開２０１２−１６６４８４号公報
【０００５】
【特許文献２】特開２０１１−８８３９７号公報
【発明の概要】
【発明が解決しようとする課題】
【０００６】
しかし、操作部に装飾部を形成したリフィルが多数取り付けられた筆記具や、クリップに装飾片が取り付けられた筆記具は、装飾部や装飾片のデザインが筆記具単体を飾るものであった。このため、複数の筆記具を横に並べた時に、装飾部や装飾片が一体となるデザインにはなっていなかった。即ち、これまでの操作部に装飾部を形成したリフィルが多数取り付けられた筆記具や、クリップに装飾片が取り付けられる筆記具は、筆記具単体の購入意欲をユーザーに生じさせるものであり、ユーザーに筆記具をペアで購入、或いは複数本を購入したいという意欲を生じさせるものではなかった。
【０００７】
本発明は、横に並べて配置した時にデザインに一体感があり、ユーザーに筆記具を複数本セットにして購入したいという意欲、特にペアで購入したいという意欲を生じさせる筆記具セットを提供することを目的とする。
【課題を解決するための手段】
【０００８】
本発明の一態様によれば、複数の筆記具からなる筆記具セットであって、筆記具セットを形成する複数の筆記具の各個に、隣接配置すると一体化されたデザインとなる装飾具が、筆記具に装着され、装飾具が装着された筆記具は、装飾具が一体化されたデザインになるように並んでいる筆記具セットが提供される。
【０００９】
上記筆記具セットにおいては、装飾具は、複数の筆記具の各個の、前記筆記具の筆記側に対して反対側の部位に配設されたクリップ、ノック棒、及び天冠の何れかの部位の、同じ位置に装着すれば良い。
【００１０】
また、筆記具セットの各筆記具については、装飾具の背面部に第１の嵌合部を形成し、複数の筆記具の各個の、クリップ、ノック棒、及び天冠の何れかの部位には、第１の嵌合部に嵌合する第２の嵌合部を形成して、第１の嵌合部に第２の嵌合部が嵌合した状態では、第２の嵌合部は装飾具に隠れて露出しないようにすることができる。
【発明の効果】
【００１１】
本発明の筆記具セットによれば、ユーザーに対して、筆記具を複数本セットにして購入しようという意欲、特にペアで購入しようという意欲を生じさせ易いので、一度に複数本の筆記具をセットで販売することができ、販売効率が向上するという効果がある。
【図面の簡単な説明】
【００１２】
【図１】（ａ）はペアのデザインを備える第１の形態の装飾具が取り付けられた２本の筆記具を平行にして第１の実施例の規制部材を装飾具に取り付ける工程を示す図、（ｂ）は（ａ）に示した規制部材で装飾具の位置が規定された２本の筆記具を販売用の袋に挿入する工程を示す図である。
【図２】販売用の袋に２本の筆記具を備える筆記具セットが収容され、袋に設けられた窓から規制部材で位置が規定されたペアのデザインを備える装飾具が外部から目視できる状態を示す図である。
【図３】（ａ）は第２の実施例の規制部材の斜視図、（ｂ）は（ａ）に示した規制部材に２本の筆記具の軸筒が挿入されて、装飾具の位置が規定された２本の筆記具を販売用の袋に挿入する工程を示す図態を示す断面図、（ｃ）は（ｂ）のＡ−Ａ線における断面図である。
【図４】（ａ）は第３の実施例の規制部材が設けられた販売用の袋の正面図、（ｂ）は（ａ）のＢ−Ｂ部に力を加えて袋の筆記具挿入口を開き、袋の内部を見た平面図、（ｃ）は（ｂ）に示した規制部材に２本の筆記具が挿入されてその位置が規制された状態を示す断面図である。
【図５】（ａ）は第４の実施例の規制部材が設けられた筆記具が、第４の実施例の規制部材によって位置が規制された状態を示す図、（ｂ）は（ａ）に示した２本の筆記具が販売用の袋に挿入され、取り換え用装飾具が付属する状態を示す正面図である。
【図６】図１に示した装飾具の一方の形状を示すものであり、（ａ）、（ｃ）は装飾具を表側から見た斜視図、（ｂ）は装飾具を表側から見た正面図、（ｄ）から（ｆ）は側面図、（ｇ）は（ｅ）のＪ−Ｊ線における断面図、（ｈ）は（ｂ）のＨ−Ｈ線における断面図、（ｉ）、（ｋ）は装飾具を裏側から見た斜視図、（ｊ）は装飾具を裏側から見た背面図である。
【図７】（ａ）は図１（ａ）に示した筆記具のノック棒に設けられたレバーに装飾具を取り付ける工程を説明する組立斜視図、（ｂ）は（ａ）に示した工程を側面から見た側面図である。
【図８】（ａ）は図７（ａ）、（ｂ）に示した工程により、ノック棒に設けられたレバーに装飾具が取り付けられた状態の片方の筆記具の正面図、（ｂ）は（ａ）に示した筆記具の側面図、（ｃ）は（ｂ）に示した筆記具の断面図である。
【図９】図９は図８（ａ）に示した筆記具の装飾具が取り付けられたノック棒を筆記具の軸筒から取り出して示すものであり、（ａ）、（ｃ）はノック棒を表側から見た斜視図、（ｂ）はノック棒を表側から見た平面図、（ｉ）はノック棒を裏側から見た背面図、（ｄ）はノック棒を（ｉ）のＰ方向から見た側面図、（ｅ）はノック棒を（ｉ）のＱ方向から見た側面図、（ｆ）はノック棒を（ｉ）のＲ方向から見た側面図、（ｇ）は（ｅ）のＧ−Ｇ線における断面図、（ｈ）は（ｂ）のＥ−Ｅ線における断面図である。
【図１０】３つ揃うと１つのデザインになる第２の形態の装飾具が取り付けられた３本の筆記具が販売用の袋に挿入され、規制部材によって３つの装飾具が販売用の袋の窓から見える状態で並んでいる状態の筆記具セットを示す正面図である。
【図１１】（ａ）は第３の形態の装飾具が取り付けられた筆記具の正面図、（ｂ）は（ａ）に示した筆記具の側面図、（ｃ）は（ｂ）に示した筆記具の縦断面図である。
【図１２】図１１に示した第３の形態の装飾具の形状を示すものであり、（ａ）は装飾具を裏側から見た斜視図、（ｂ）は（ｄ）に示した装飾具を上方から見た平面図、（ｃ）は（ａ）に示した装飾具の正面図、（ｄ）は（ｃ）に示した装飾具の側面図、（ｅ）は（ｄ）に示した装飾具の縦断面図、（ｆ）は（ｃ）に示した装飾具の背面図、（ｇ）は装飾具を表側から見た斜視図、（ｈ）は（ｄ）に示した装飾具を下方から見た底面図である。
【図１３】（ａ）は図１１に示した第３の形態の装飾具に着色を施した変形例の装飾具を表側から見た斜視図、（ｂ）は（ａ）に示した装飾具とは異なる着色を施した別の変形例の装飾具の正面図、（ｃ）は図１１に示した第３の形態の装飾具に設けられるクリップ玉の位置を説明する側面図である。
【図１４】（ａ）は図１１に示した第３の形態の装飾具に従来と同様のクリップ玉が設けられた場合の問題点を説明する側面図、（ｂ）は図１１に示した第３の形態の装飾具に図１３（ｃ）に示したクリップ玉が設けられた場合の効果を説明する側面図である。
【図１５】販売用の袋に、異なる着色が施された第３の形態の装飾具を備える２本の筆記具が収容され、袋に設けられた窓を通じて装飾具が外部から目視できる状態を示す図である。
【発明を実施するための形態】
【００１３】
以下、図面を参照しながら本発明の実施の形態を詳細に説明する。全図面に渡り、対応する構成要素には共通の参照符号を付す。本発明は、並べて配置した時にデザインに一体感があり、ユーザーに複数本のセット、特にペアのセットを購入しようという意欲を生じさせる筆記具セットの構造を特徴としている。従って、販売する筆記具の種類は限定されるものではなく、例えば、筆記具の種類としては、単色ボールペン、ノック式ボールペン、多機能（多色）ボールペン、多数のリフィルを取付可能なリフィルホルダ、シャープペンシル等が可能である。ここでは、ユーザーが複数本を購入し易い筆記具の一例として、リフィルホルダを説明する。また、以後の説明では、図面としてリフィルホルダを使用するが、リフィルホルダを示す用語は筆記具とする。
【００１４】
図１（ａ）はペアのデザインを備える第１の形態の装飾具２Ｌ，２Ｒがそれぞれ取り付けられた２本の筆記具１を平行にし、第１の実施例の規制部材５Ａを装飾具２Ｌ，２Ｒに取り付けて筆記具セット１０を作る工程を示している。本実施例において、ペアのデザインは、ハート形である。装飾具２Ｌはハート形を縦に割った左半体であり、装飾具２Ｒはハート形を縦に割った右半体である。規制部材５Ａは透明な長方形の板状の部材であり、平行な２つの貫通孔５１を備えている。貫通孔５１の大きさは筆記具１に取り付けられた装飾具２Ｌ，２Ｒを挿通できる大きさであり、形状は限定されない。また、貫通孔５１の規制部材５Ａにおける位置は、装飾具２Ｌ，２Ｒがそれぞれ貫通孔５１に挿通された状態で、筆記具１の軸筒４が平行になり、装飾具２Ｌ，２Ｒが近接する位置である。装飾具２Ｌ，２Ｒは近接した状態では１つの装飾具２、即ちハート形のように見える。
【００１５】
図１（ｂ）は図１（ａ）に示した規制部材５Ａで装飾具２Ｌ，２Ｒの位置が規定された２本の筆記具１を備える筆記具セット１０を、店舗で展示して販売するのに使用される販売用の袋３に挿入する工程を示す図である。袋３には吊り下げ用の孔３３があり、孔３３の下方に筆記具セット１０を収容する挿入口３２を備える袋部３４がある。袋部３４は、紫外線等を防ぐために不透明とすることができる。また、袋部３４の上方には、袋部３４に筆記具セット１０を収容した時に装飾具２Ｌ，２Ｒを見通すことが出来る透明部分３１がある。本実施例では透明部分３１は矩形状をしているが、袋部３４に筆記具セット１０を収容した時に装飾具２Ｌ，２Ｒを見通すことが出来れば、透明部分３１の形状は限定されず、袋部３４の全体が透明であっても良い。尚、透明部分３１が袋部３４に対して小さい場合は、透明部分３１は以後、窓３１と称されることがある。
【００１６】
筆記具セット１０は、２本の筆記具１が規制部材５Ａに吊り下げられた状態で、筆記具１の先端を挿入口３２から袋部３４内に挿入する。筆記具セット１０が袋部３４内に挿入されると、挿入口３２は閉じられる。挿入口３２の閉じ方については周知の色々な方法があるが、本発明の趣旨ではないので、ここでは説明を省略する。
【００１７】
図２は、図１（ｂ）に示した工程を経て、販売用の袋３に２本の筆記具１が並んだ筆記具セット１０が収容された状態を示すものである。筆記具セット１０が袋３に収容された状態では、袋３に設けられた窓３１から、位置が規定されたペアのデザインを備える装飾具２が外部から目視できるようになっている。また、袋３の内部で筆記具セット１０の各筆記具１に取り付けられた装飾具２Ｌ，２Ｒの位置を規制する図１（ａ）、（ｂ）に示した規制部材５Ａは、透明部材であるために目立たず、窓３１を通じてはその存在がほとんど分らない。よって、図２には規制部材５Ａの図示は省略した。
【００１８】
このように、筆記具セット１０を収納した袋３が販売店の店頭に並べられると、窓３１を通じて装飾具２のペアのデザインが強調されてユーザーの目に映る。このため、ユーザーは装飾具２のペアのデザインに魅かれて筆記具セット１０を購入する意欲が増大する。なお、筆記具セット１０を収納する袋３の袋部３４にも、ユーザーが装飾具２のペアのデザインをより好ましく思うようなデザインを施しておけば、ユーザーの購買意欲が更に増大する。
【００１９】
図３（ａ）は、本発明の第２の実施例の規制部材５Ｂを示すものである。規制部材５Ｂは透明な細長の長方形の板状の部材であり、４本のスリット５２を備えている。４本のスリット５２のうちの２本ずつは、規制部材５Ｂの長手方向に平行に対向して設けられており、２本のスリット５２の組は規制部材５Ｂの長手方向に並んだ状態である。規制部材５Ｂには、２本のスリット５２に挟まれた第１の帯状部５３と、第１の帯状部５３の両脇にある第２の帯状部５４とが形成されている。第１の帯状部５３と第２の帯状部５４とは互いに反対方向に離反させることができる。そして、離反した状態の第１の帯状部５３と第２の帯状部５４の間のスペースに、図３（ｂ）に示すように、２本の筆記具１の軸筒４を、装飾具２Ｌ，２Ｒが同じ方向を向いて隣接するように挿入することができる。図３（ｃ）は図３（ｂ）のＡ−Ａ線における断面を示している。
【００２０】
規制部材５Ｂで装飾具２Ｌ，２Ｒの位置が規定された２本の筆記具１を備える筆記具セット１０は、図３（ｂ）に示す工程のように販売用の袋３に挿入される。袋３は図１（ｂ）で説明した袋３と同じもので良く、筆記具セット１０は、２本の筆記具１が規制部材５Ｂで軸筒４が平行に保持された状態で、筆記具１の先端を挿入口３２から袋部３４内に挿入する。筆記具セット１０が袋部３４内に挿入されると、挿入口３２が閉じられ、図２に示した状態になる。筆記具セット１０は袋３の内部で軸筒４が規制部材５Ｂによって固定され、袋３に設けられた窓３１から、位置が規定されたペアのデザインを備える装飾具２が外部から目視できるようになっている。また、袋３の内部で透明部材である規制部材５Ｂは目立たず、窓３１を通じてはその存在がほとんど分らないことも同様である。
【００２１】
図４（ａ）は、本発明の第３の実施例の規制部材５Ｃが設けられた販売用の袋３を正面から見たものである。第３の実施例の規制部材５Ｃは袋３の内部に設けられており、筆記具１の軸筒を挿通できるようになっている。図４（ｂ）は図４（ａ）に示した袋３のＢ−Ｂ部に力を加えて袋３の筆記具の挿入口３２を開き、袋３の内部を見た状態を示している。規制部材５Ｃは袋３の前側の袋部３４の内面に設けられたシート状の部材で形成されており、このシート状の規制部材５Ｃは、袋３の横方向に弛んだ状態で両端部と中央部が袋３の内面の縦方向に、例えば溶着されている。図４（ｃ）は図４（ｂ）に示した規制部材５Ｃに２本の筆記具の軸筒４が挿入されてその位置が規制された状態を示すものである。
【００２２】
装飾具２Ｌ，２Ｒをそれぞれ備える２本の筆記具１を備える筆記具セット１０は、図４（ｃ）に示すように軸筒４が袋３に挿入される。このとき、筆記具１の装飾具２Ｌ，２Ｒが袋３の窓３１の方向を向くように、筆記具１の軸筒４が袋３の中にある規制部材５Ｃに挿入される。筆記具セット１０が袋部３４内に挿入されると、挿入口３２が閉じられ、図２に示した状態になる。筆記具セット１０は袋３の内部で軸筒４が規制部材５Ｃによって固定され、袋３に設けられた窓３１から、位置が規定されたペアのデザインを備える装飾具２が外部から目視できるようになっている。規制部材５Ｂは、袋３の内部の窓３１の下方に設けられるので透明部材である必要はない。
【００２３】
図５（ａ）は、本発明の第４の実施例の規制部材５Ｄが設けられた筆記具１が、規制部材５Ｄによって位置が規制された状態を示すものである。規制部材５Ｄは、装飾具２Ｌ，２Ｒの中にそれぞれ埋め込まれた磁石であり、図５（ａ）に装飾具２Ｌ，２Ｒから取り出した状態の規制部材５Ｄの形状を示す。磁石である規制部材５Ｄは、例えば装飾具２Ｌの装飾具２Ｒ側の端面に一方の磁石のＳ極が配置され、装飾具２Ｒの装飾具２Ｌ側の端面に他方の磁石のＮ極が配置されている。従って、装飾具２Ｌ，２Ｒを接近させると、装飾具２Ｌ，２Ｒは規制部材５Ｄの磁力によって一体化し、一体化されたデザインを備える１つの装飾具２となる。
【００２４】
装飾具２Ｌ，２Ｒがそれぞれ設けられた２本の筆記具１を備える筆記具セット１０は、図５（ｂ）に示すように袋３に挿入される。このとき、筆記具１の装飾具２Ｌ，２Ｒが袋３の窓３１の方向を向くように、筆記具１が袋３の中に挿入され、装飾具２Ｌ，２Ｒは規制部材５Ｄによって一体化されたデザインを有する１つの装飾具２となっている。筆記具セット１０が袋部３４内に挿入されると、挿入口３２が閉じられる。筆記具セット１０は袋３の内部で装飾具２Ｌ，２Ｒは規制部材５Ｄによって一体化しており、袋３に設けられた窓３１から、一体化されたデザインを備える装飾具２を外部から目視できるようになっている。
【００２５】
なお、図５（ｂ）に示した実施例には、袋３の下方に予備の装飾具２Ｌ，２Ｒが取り替え用として収納されている。後に詳述するが、装飾具２Ｌ，２Ｒは筆記具１に対して取り外しが可能に形成されているので、取り換え用の装飾具２Ｌ，２Ｒが封入されている。このように取り換え用の装飾具２Ｌ，２Ｒが封入されていると、装飾具２Ｌ，２Ｒが汚れた場合、破損時、紛失等のような場合でも取り換え用の装飾具２Ｌ，２Ｒに付け替えることが可能である。なお、図５（ｂ）に示す実施例では、袋３に筆記具１に取り付けられた装飾具２Ｌ，２Ｒと同じ装飾具２Ｌ，２Ｒが封入されているが、取り換え用の装飾具は異種のものであっても良い。取り換え用の装飾具が異種の場合は、付け替えることによって別のデザインの筆記具にすることができる。
【００２６】
ここで、装飾具の構造と装飾具の筆記具への取り付け、取り外しが可能な構造について図６及び図７を用いて説明する。なお、前述の実施例における装飾具２Ｌ，２Ｒの筆記具１への取付構造は同じであるので、ここでは一方の装飾具２Ｌの取付構造を代表して説明する。取付構造は装飾具２Ｌの裏面のみに設けられる。
【００２７】
図６（ａ）から図６（ｋ）は、装飾具２Ｌの形状を示すものである。図６（ａ）、図６（ｃ）は装飾具２Ｌを表側の異なる方向から見たものであり、図６（ｂ）は装飾具２Ｌを表側の正面から見たものである。また、図６（ｉ）、図６（ｋ）は装飾具２Ｌを裏側の異なる方向から見たものであり、図６（ｊ）は装飾具２Ｌを裏側から見たものである。更に、図６（ｄ）〜（ｆ）は装飾具２Ｌを図６（ｊ）の矢印Ｃ，Ｄ，Ｆ方向から見た側面図であり、図６（ｇ）は図６（ｅ）のＪ−Ｊ線における断面図、図６（ｈ）は図６（ｂ）のＨ−Ｈ線における断面図である。
【００２８】
図６（ａ）から図６（ｋ）に示すように、装飾具２Ｌの裏面には、筆記具に設けられているスライドレバー（後述）に嵌め合わされるソケット２０が設けられている。ソケット２０には、図６（ｉ）〜（ｋ）に示すように、平行なガイド壁２１，２２と、スライドレバーの挿入側のガイド壁２１，２２の上部に設けられた天井壁２５がある。また、ガイド壁２１，２２のスライドレバーの挿入側の反対側には内側に湾曲する湾曲部２３，２４があり、ガイド壁２１，２２間に挿入されたスライドレバーが天井壁２５の上部で係止されてソケット２０から突出しないようになっている。更に、湾曲部２３，２４の内側と天井壁２５のない部分のガイド壁２１、２２で囲まれた部分の装飾具２Ｌの裏面には、後述するスライドレバーの先端部を受け入れる凹部２６が形成されている。なお、装飾具２Ｌの裏面に、クリップ玉を形成し、装飾具２Ｌをクリップとして機能させてもよいし、スライドレバーをクリップとしてもよい。
【００２９】
図７（ａ）及び図７（ｂ）は、図１（ａ）に示した多機能の筆記具１のノック棒に設けられたスライドレバー４１に装飾具２Ｌを取り付ける工程を説明するものである。本実施例で説明する筆記具１には、複数本の通常のスライドレバー６１を備えるノック棒６０と、装飾具取付用のスライドレバー４１を備える１本のノック棒４０がある。ノック棒４０とノック棒６０には筆記具１の軸筒４の内部で種々の色のインクが充填されたリフィルが取り付けられる。
【００３０】
図６（ｉ）〜（ｋ）で説明したように、装飾具２Ｌの裏面に設けられたソケット２０には、ガイド壁２１，２２、湾曲部２３，２４、天井壁２５及び凹部２６がある。一方、ソケット２０に挿入されてソケット２０に嵌合するスライドレバー４１は、ノック棒４０から延伸されてノック棒４０に平行な軸部４２と、軸部４２の先端側に設けられた肉薄の連結部４３、及び連結部４３の先端側に設けられて連結部４３より外側に一段高く形成された膨出部４４がある。本実施例の膨出部４４を平面視した形状は、略三角形状である。連結部４３は、接着剤を使用した際の液溜まりとして機能することもできる。
【００３１】
スライドレバー４１に装飾具２Ｌを取り付ける場合は、スライドレバー４１の膨出部４４にソケット２０のガイド壁２１，２２の間の空間を合せ、装飾具２Ｌをスライドレバー４１の軸部４２の方向に移動させる。すると、スライドレバー４１の膨出部４４が天井壁２５を通り過ぎた後に凹部２６に落ち込んで、凹部２６と嵌合する。このスライドレバー４１の膨出部４４と装飾具２Ｌの裏面にある凹部２６の嵌合により、スライドレバー４１に嵌め込まれた装飾具２Ｌが、スライドレバー４１からの抜けを防ぐことができる。
【００３２】
図８（ａ）は、図７（ａ）、（ｂ）に示した工程により、ノック棒４０に装飾具２Ｌが取り付けられた状態の筆記具１を正面から見たものであり、図８（ｂ）は図８（ａ）に示した筆記具１を側面から見たものである。また、図８（ｃ）は図８（ｂ）に示した筆記具１の断面を示すものである。図８（ａ）、（ｂ）に示すように、筆記具１には、複数本の通常のスライドレバー６１を備えるノック棒６０と、装飾具２Ｌを取り付けるスライドレバー４１を備える１本のノック棒４０がある。
【００３３】
図８（ｃ）は装飾具２Ｌを取り付けるスライドレバー４１を備える１本のノック棒４０の構造を断面で示すものである。スライドレバー４１が設けられたノック棒４０の先端部にはリフィルを取り付けるためのリフィル取付突起４５がある。筆記具１の軸筒４内に挿入されたリフィル（図示省略）は、筆記側でない端部がスプリング６の内部を通った後にリフィル取付突起４５に取り付けられる。この状態で、スライドレバー４１を筆記具の先端側にスライドさせると、ノック棒４０はスプリング６を押し縮めて筆記具１の先端側に移動し、リフィルの筆記部が筆記具１の軸筒４から突出する。ノック棒４０及び図８（ｃ）には図示されない他のノック棒６０には、筆記具１の軸筒４の内部において種々の色のインクが充填されたリフィルや、消しゴムが先端に取り付けられたリフィルを取り付けることができる。また、リフィルに充填されるインクが後述する熱変色性インクである場合には、筆記した文字の消去部材を先端に備えるリフィルをノック棒４０及びノック棒６０の何れかに取り付けることができる。
【００３４】
図９は、図８（ａ）に示した筆記具１の装飾具２Ｌが取り付けられたノック棒４０を筆記具１の軸筒から取り出して示すものである。図９（ａ）、（ｃ）はノック棒４０を表側の異なる方向から見たものであり、図９（ｂ）はノック棒４０を表側の正面から見たものであり、図９（ｉ）はノック棒４０を裏側から見たものである。また、図９（ｄ）はノック棒４０を図９（ｉ）のＰ方向から見た側面を示しており、図９（ｅ）はノック棒を図９（ｉ）のＱ方向から見た側面を示しており、図９（ｆ）はノック棒４０を図９（ｉ）のＲ方向から見た側面を示している。更に、図９（ｇ）は図９（ｅ）のＧ−Ｇ線における断面を示しており、図９（ｈ）は図９（ｂ）のＥ−Ｅ線における断面を示している。装飾具２Ｌは、ノック棒４０の軸線方向に大きな力を加えれば、ソケット２０とスライドレバー４１との嵌合が外れるので、スライドレバー４１から取り外すことができる。
【００３５】
以上説明した実施例では、ペアのデザインを備える第１の形態の装飾具２Ｌ，２Ｒがそれぞれ取り付けられた２本の筆記具１を説明した。一方、本発明の筆記具セット１０は、３本以上の筆記具に取り付けた装飾具のデザインが横に並んで一体化された時に購買意欲をそそるものであれば、２本の筆記具の集合体に限定されるものではない。
【００３６】
図１０は、３つ揃うと１つのデザインになる第２の形態の装飾具７Ｌ，７Ｃ，７Ｒが取り付けられた３本の筆記具１を備える筆記具セット１０が販売用の袋３に挿入された状態を示すものである。装飾具７Ｌ，７Ｃ，７Ｒは、第１の形態の装飾具に使用した前述の４つの実施例の規制部材の何れかによって、３つの装飾具７Ｌ，７Ｃ，７Ｒが袋３の窓３１を通じて並んで見えるようにすれば良い。図１０には前述の第４の実施例の磁石を備える規制部材が使用された状態が示されている。第２の形態の装飾具７Ｌ，７Ｃ，７Ｒの筆記具１への取付方法は第１の形態の装飾具２Ｌ，２Ｒと同じであるので、これ以上の説明を省略する。なお、３つ揃うと１つのデザインになる第２の形態の装飾具７Ｌ，７Ｃ，７Ｒが取り付けられた３本の筆記具１を販売用の袋３に挿入して販売する場合には、３本の筆記具１のインクの色を赤、青、黒のように変えれば、ユーザーの購入意欲が増すと考えられる。
【００３７】
以上説明した第１の形態の装飾具２Ｌ、２Ｒ及び第２の形態の装飾具７Ｌ、７Ｃ、７Ｒは、何れも装飾具のデザイン面が平坦面であった。そこで、第３の形態の装飾具では、装飾具の表面を凹凸状に形成した上で、凹凸差を２ｍｍ以上とし、更にデザインを軸線方向に対して線対称にした立体的な飾りとした。立体的な飾りとすることで、ユーザーへの視覚的効果として、ユーザーにより大きな印象を与えることができるという効果がある。この第３の形態の装飾具について、具体例を図１１から図１５を用いて説明する。なお、第３の形態の装飾具が取り付けられる筆記具１については、既に説明した筆記具１と同じものを使用できるので、同じ構成部材には同じ符号を付してその説明を省略する。また、第３の形態の装飾具８は、筆記具１のスライドレバー４１にソケット２０で取り付けることができるが、筆記具１のスライドレバー４１の構造及び装飾具８のソケット２０の構造も既に説明した実施例と同じであるので同じ符号を付してその説明を省略する。
【００３８】
図１１（ａ）は、第３の形態の装飾具８が取り付けられた筆記具１の正面図である。また、図１１（ｂ）は、図１１（ａ）に示した筆記具１の側面図であり、図１１（ｃ）は、図１１（ｂ）に示した筆記具１の縦断面図である。第３の形態の装飾具８は、クリップ８０、クリップ８０の先端部の内面に設けられたクリップ玉８１及び装飾部８２を備える。クリップ８０はスライドレバー４１に取り付けられる。装飾部８２の表面は凹凸状に形成してあり、凹凸差は２ｍｍ以上としてある。更に、装飾部８２のデザインは、一例として、軸線方向に対して線対称の星形にして、立体感が顕著に表れるようにしてあるが、装飾部８２のデザインは目立つデザインであれば、線対称としなくても良い。
【００３９】
図１２は、図１１に示した第３の形態の装飾具８の形状を詳細に示すものである。図１２（ａ）は、装飾具８を裏側から見た斜視図であり、図１２（ｆ）は、装飾具８を裏側から見た背面図である。また、図１２（ｂ）は図１２（ｄ）に示した装飾具８を上方から見た平面図であり、図１２（ｈ）は図１２（ｄ）に示した装飾具８を下方から見た底面図である。更に、図１２（ｃ）は、図１２（ａ）に示した装飾具８の正面図であり、図１２（ｇ）は、装飾具８を表側から見た斜視図である。そして、図１２（ｄ）は、図１２（ｃ）に示した装飾具８を右側から見た側面図であり、図１２（ｅ）は、図１２（ｄ）に示した装飾具８の縦断面図である。
【００４０】
図１２に示した第３の形態の装飾具８は、装飾部８２からクリップ８０が延びており、クリップ８０の内面側の先端部には、クリップ玉８１が形成されている。図１２（ｂ）、（ｄ）、及び（ｈ）から分かるように、装飾部８２の表面は凹凸状に形成されており、凹凸差は２ｍｍ以上である。更に、図１２（ｃ）から分かるように、装飾部８２のデザインは星形（五芒星）で線対称であり、５つ突起部には中心から延びる稜線があり、稜線の左右が傾斜面になっている。
【００４１】
また、装飾具８は、図１３（ａ）及び図１３（ｂ）に示すように、装飾部８２の表面に３色以上の塗料で着色を施すことができる。着色は成形後にインクジェット印刷又はインモールド成形によって形成することができる。なお、図１３（ａ）及び図１３（ｂ）に示した着色は一例であり、図１３（ａ）に示した例では、装飾具８が星形に形成されていて、５つの突出部がそれぞれ線対称の斜面を備えているので、各斜面毎に３色以上の色でそれぞれ着色されている。また、図１３図（ｂ）に示した例では、装飾部８２の表面は星形の中心線に対して線対称に着色されている。このように、装飾部８２を３色以上で着色することにより、装飾部８２の立体感が増し、装飾部８２が目立つようになる。
【００４２】
更に、装飾具８は、図１３（ｃ）に示すように、クリップ玉８１が、クリップ８０の先端部の内面に設けられている。具体的には、クリップ玉８１は、クリップ玉８１の中心の、クリップ８０の先端部からの距離Ａが５ｍｍ以内になるように形成されている。この構造により、図１４（ｂ）に示すように、クリップ８０が押し下げられて、リフィルの筆記部４６が筆記具１の軸筒４から突出した状態で、クリップ８０の先端部が軸中心方向に矢印Ｐで示すように押されても、筆記部４６の意図しない戻りを防ぐことができる。
【００４３】
これに対して、図１４（ａ）に示すような、クリップ玉８１Ａが、クリップ８０の先端部から離れた位置に設けられている装飾具８Ａを備える筆記具１の場合を考える。装飾具８Ａを備える筆記具１では、クリップ８０が押し下げられて、リフィルの筆記部４６が軸筒４から突出した状態で、クリップ８０の先端部が軸中心方向に矢印Ｐで示すように押されると、クリップ玉８１Ａが支点となって、装飾部８２が矢印Ｑ方向に移動する。そして、装飾部８２が矢印Ｑ方向に移動すると、クリップ８０の軸筒４内にあるロック機構とのロックが外れ、装飾具８Ａが矢印Ｒで示す方向に移動し、筆記部４６が意図せず戻ってしまうおそれがある。よって、本実施例では、クリップ玉８１を、クリップ８０の先端部内面にして、支点として機能しにくい位置に設けている。
【００４４】
また、第３の形態の装飾具８が取り付けられた筆記具１は、前述の第１の形態の装飾具が取り付けられた筆記具１と同様に、図１５に示すように、販売用の袋３に複数の筆記具１（例えば２本）を並べた筆記具セット１０の形態で販売も可能である。この場合には、図示を省略した規制部材で２本の筆記具１の位置を調整し、装飾具８の装飾部８２には、３色以上の色で異なる彩色を施し、袋３に設けられた窓３１から装飾部８２が目視できるようにしておけば、ユーザーの購入意欲が増すと考えられる。
【００４５】
なお、リフィルには、例えば、消去部材で擦られると摩擦熱で変色して透明になる熱変色性インク、或いは消去部材で紙面から剥ぎ取ることができる消しゴム消去性インクを収容することができる。リフィルに熱変色性インクが収容されている場合、消去部材は紙面を擦った場合に、紙面との間に摩擦熱を発生させる部材で形成され、発生した摩擦熱によって、筆跡を熱変色可能である。なお、筆記体としては、熱変色インクを収容したボールペン、熱変色芯を収容したシャープペンシル、或いは鉛筆芯ホルダ等が考えられる。消去部材は、筆記具の後端部（天冠）に取り付けるか、リフィルの代わりに消去部材が筆記側に設けられたもの、又は装飾具２自体を消去部材としても良い。また、リフィルに消しゴムで消去可能な消しゴム消去性インクを収容した筆記具が可能である。この場合は、消去部材には、消しゴムと同様に紙面からインクを剥ぎ取る場合に摩耗する部材が選択される。
【００４６】
ここで、熱変色性インクとは、常温（例えば２５℃）で所定の色彩（第１色）を維持し、所定温度（例えば６５℃）まで昇温させると別の色彩（第２色）へと変化し、その後、所定温度（例えば−１０℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」という。したがって、描線が筆記された筆記面等に対して消去部材としての摩擦体によって擦過して摩擦熱を生じさせ、それによって描線を無色に変化、即ち、消去させる。なお、当然のことながら上記第２色は、無色以外の有色でもよい。
【００４７】
また、消しゴムで消去可能な消しゴム消去性インクを収容したリフィルを使用する筆記具では、消しゴム消去性インクは、水と、平均粒子径１．０〜１５μｍの非熱可塑性着色樹脂粒子をインク組成物全量に対して、３〜３０重量％と、０．１〜１５重量％の非着色粒子とを少なくとも含有することが必要である。
【００４８】
本発明の水性インクに用いる着色樹脂粒子は、着色された樹脂粒子からなるものであり、非熱可塑性であり、かつ、平均粒子径が１．０〜１５μｍとなるものであり、例えば、樹脂粒子中に顔料からなる着色剤が分散された着色樹脂粒子、樹脂粒子の表面が顔料からなる着色剤で被覆された着色樹脂粒子、樹脂粒子に染料からなる着色剤が染着された着色樹脂粒子などが挙げられる。
【００４９】
本実施例では、着色樹脂粒子が非熱可塑性で上記平均粒子径を充足するものであれば、その構造〔中空構造あり、中空構造なし（密実）〕、形状（球状、多角形状、扁平状、繊維状）等は特に限定されるものでないが、好ましくは、優れた消しゴム消去性、筆記性、インクとしての経時安定性を発揮させる点から、ガラス転移点が１５０℃以上で熱分解温度に近く、更にはメルトフローインデックス値が０．１未満であるような分子内架橋を持つ粒子で粘着性を有せず、かつ、平均粒子径が１．０〜１５μｍとなる球状の着色樹脂微粒子の使用が望ましい。なお、本発明（実施例等含む）で規定する「平均粒子径」は、粒度分析計〔マイクロトラックＨＲＡ９３２０−Ｘ１００（日機装社製）〕にて測定したＤ５０の値である。
【００５０】
消去部材を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、及び、ゴム弾性材料と合成樹脂との混合物を、ＪＩＳ  Ｋ７２０４に規定された摩耗試験（ＡＳＴＭ  Ｄ１０４４）で荷重９．８Ｎ、１０００ｒｐｍ環境下において、テーバー摩耗試験機の摩耗輪ＣＳ−１７でのテーバー摩耗量が１０ｍｇ以上、より好ましくは１５ｍｇ以上となるように構成し、消去部材を形成する。さらに、テーバー摩耗量が１５ｍｇ以上となるように調整するために、消去部材の材料に対して、より柔軟性を出すためのフタル酸系可塑剤を添加してもよい。消去部材が、アルキルスルフォン酸フェニルエステル、シクロヘキサンジカルボン酸エステル、メタクリル酸エステル、アクリル酸エステル、アセチルクエン酸トリブチル、アジピン酸系ポリエステル、アセチルクエン酸トリブチル、セバシン酸ジエステル、ジエチレングリコールジベンゾエートやフタル酸系等の可塑剤を含むことによって、消去部材が摩耗しやすくなるため、紙面を傷めず且つ印刷文字等を掠れさせることなく、筆跡の消去が可能となる。さらに、消去部材は、ＪＩＳ  Ｋ６２０３に規定されたデュロメータＡ硬度が６０以上であることが望ましい。それによって、所定の硬さが確保でき、より安定した擦過動作が可能となる。なお、消去部材は、タッチペン、スタイラスペンとしても適用可能である。
【００５１】
なお、本発明における「消去」とは、上記熱変色性インクを用いた場合以外にも、筆記した描線、文字等を消しゴム等の消去部で吸着又は削ぎ落とすことをいう。更に、感圧式タッチペンや軸筒等に電導性を付与して静電容量式タッチペンの後端部に、消去部材と天冠を設けるような構成でもよい。したがって、本発明は、筆記具によって筆記された描線（筆跡）を消去できる、消去部材を備えた任意の文房具にも適用可能である。
【符号の説明】
【００５２】
１    筆記具（多機能筆記具）
２、２Ｌ、２Ｒ。７、７Ｌ，７Ｃ，７Ｒ    装飾具
３    袋
４    軸筒
５、５Ａ，５Ｂ，５Ｃ，５Ｄ    規制部材
１０    筆記具セット
２０    ソケット
３１    窓（透明部分）
４０、６０    ノック棒
４１    スライドレバー
【図１】
2017013502.tif 000003
【図２】
2017013502.tif 000004
【図３】
2017013502.tif 000005
【図４】
2017013502.tif 000006
【図５】
2017013502.tif 000007
【図６】
2017013502.tif 000008
【図７】
2017013502.tif 000009
【図８】
2017013502.tif 000010
【図９】
2017013502.tif 000011
【図１０】
2017013502.tif 000012
【図１１】
2017013502.tif 000013
【図１２】
2017013502.tif 000014
【図１３】
2017013502.tif 000015
【図１４】
2017013502.tif 000016
【図１５】
2017013502.tif 000017